(57)【要約】【課題】手に持って任意の患部に当接して熱などの刺激を与えることが可能な健康用具を提供すること。【解決手段】健康用具１は、両面に所定の収容部を備える袋状体１０と、袋状体１０の一方側の面の収容部に収容するカイロなどの熱発生体３０と、袋状体１０の他方側の面の収容部に収容し熱発生体３０の熱を伝達する所定の熱伝達体２０とを少なくとも備える。熱伝達体２０の材質は陶器で、形状は円形かつ患部面側に突出部を有する。【選択図】図１
2019034149.tif 000002
【特許請求の範囲】
【請求項１】
手に持って任意の患部に当接して刺激を与える健康用具であって、
一方側の面及び他方側の面のそれぞれに収容部を備える袋状体（１０）と、
前記袋状体の一方面側に収容する熱発生体（３０）と、
前記熱発生体の熱を患部へ伝達する一方面が略平坦である熱伝達体（２０）と、
を少なくとも備える健康用具。
【請求項２】
前記袋状体の他方面側に備える収容部が垂直方向に配列された複数の小収容部（１１）であり、かつ、前記熱伝達体の形状（Ｌ２）が当該小収容部の幅（Ｌ１）と同一又は僅かに小さい形状である請求項１の健康用具。
【請求項３】
前記熱伝達体の材質が陶器である請求項１又は請求項２の健康用具。
【請求項４】
前記熱伝達体の形状が、円形である請求項３の健康用具。
【請求項５】
前記熱伝達体の一方面側に突出部を有する請求項１から請求項４いずれかに記載の健康用具。
【請求項６】
さらに前記熱伝達体上に貫通孔を設けるとともに隣接する熱伝達体の当該貫通孔どうしを紐状体で接続した請求項１から請求項５いずれかに記載の健康用具。
【発明の詳細な説明】
【技術分野】
【０００１】
本願発明は、手に持って任意の患部へ当接することにより熱などの刺激を与えることが可能な健康用具に関するものである。
【背景技術】
【０００２】
首に巻いて使用するマフラー様の防寒具が、存在する（特許文献１）。
【先行技術文献】
【特許文献】
【０００３】
【特許文献１】特開２００２−１４３２０６号公報
【発明の概要】
【発明が解決しようとする課題】
【０００４】
上述の防寒具は、首に巻いて使用することが前提であるため、任意の患部へ熱などの刺激を与えることが困難である。
【０００５】
そこで、手に持って任意の患部へ当接可能な健康用具を提供することを課題とする。
【課題を解決するための手段】
【０００６】
本願発明は、上述の課題を解決するために、手に持って任意の患部に当接して刺激を与える健康用具であって、一方面側及び他方面側のそれぞれに収容部を備える袋状体と、前記袋状体の一方面側に収容する熱発生体と、前記熱発生体の熱を患部へ伝達する一方面が略平坦である熱伝達体と、を少なくとも備える健康用具を提供する。
【０００７】
また、本願発明は、上述の課題を解決するために、前記袋状体の他方面側に備える収容部が垂直方向に配列された複数の小収容部であり、かつ、前記熱伝達体の形状が当該小収容部の幅と同一又は僅かに小さい形状である健康用具を提供する。
【０００８】
また、本願発明は、上述の課題を解決するために、前記熱伝達体の材質が焼き物（陶器）である健康用具を提供する。
【０００９】
また、本願発明は、上述の課題を解決するために、前記熱伝達体の形状が、円形である健康用具を提供する。
【００１０】
また、本願発明は、上述の課題を解決するために、前記熱伝達体の一方面側に突出部を有する健康用具を提供する。
【００１１】
また、本願発明は、上述の課題を解決するために、さらに前記熱伝達体に所定の貫通孔を設けるとともに隣接する当該貫通孔どうしを紐状体により接続した健康用具を提供する。
【発明の効果】
【００１２】
本願発明は、手に持って任意の患部を適度な熱で刺激することができる。また、前記熱伝達体の一方面が略平坦であるため、熱伝達効力が良い。
【００１３】
本願発明は、前記袋状体の他方面側に備える収容部が垂直方向に配列された複数の小収容部であり、かつ、前記熱伝達体の形状が当該小収容部の幅と同一又は僅かに小さい形状であるため、収容後の状態が安定する（熱伝達体の収まりが良く、手に持った際のバランスが良い）。
【００１４】
本願発明は、前記熱伝達体の材質が、焼き物（陶器）であるため、熱伝達効力が良い。
【００１５】
本願発明は、前記熱伝達体の形状が、円形の焼き物（陶器）であるため、熱伝達体相互間で接触をした際であっても端部が破損し難い。
【００１６】
本願発明は、前記熱伝達体の一方面側に突出部を有するため、熱刺激の他に指圧様の刺激も患部に与えることができる。
【００１７】
本願発明は、さらに前記熱伝達体に所定の貫通孔を設けるとともに隣接する当該貫通孔どうしを紐状体により接続したため、手に持って当該健康用具を揺動させあるいは振動を与えたとしても前記熱伝達体が単独で揺動又は振動することを抑制できる。また、収納も容易となる。
【図面の簡単な説明】
【００１８】
【図１】図１は実施例１の健康用具の構成を示す正面図である。
【図２】図２は実施例１の健康用具の構成を示す断面図である。
【図３】図３は実施例１の熱伝達体の外観形状を示す斜視図である。
【図４】図４は実施例２の健康用具の構成を示す正面図である。
【図５】図５は実施例２の健康用具の構成を示す断面図である。
【図６】図６は実施例２で使用する熱伝達体の外観形状を示す斜視図である。
【図７】図７は実施例２で混合使用可能な熱伝達体の外観形状を示す斜視図である。
【図８】図８は実施例２で混合使用可能なその他の熱伝達体の外観形状を示す斜視図である。
【図９】図９は実施例３の健康用具の構成を示す正面図である。
【図１０】図１０は実施例３の熱伝達体の外観形状を示す斜視図である。
【発明を実施するための形態】
【００１９】
手に持って任意の患部に当接して使用する健康用具として実施する。
【実施例１】
【００２０】
実施例１の構成について、図１から図３に従い説明する。
【００２１】
健康用具（１）は、両面側に被収容体を収容可能な袋状体（１０）と、前記袋状体の正面側の収容箇所に収容する熱伝達体（２０）と、前記袋状体の背面側の収容箇所に収容する熱発生体（３０）と、で構成する（図１及び図２）。
【００２２】
前記袋状体（１０）の正面側は、前記熱伝達体（２０）を縦列配列させるため分割された複数の小収容部（１１）を有する（図１）。
【００２３】
前記袋状体（１０）は、全体的に多数の小孔（１２）が設けられている。これにより、汗がしみ込むことを抑制している（図１）。
【００２４】
前記袋状体（１０）の全体大きさは、手のひらに収まる程度の大きさとしている。
【００２５】
前記熱伝達体（２０）の形状及びサイズについて、前記小収容部（１１）の幅と同一又は僅かに小さいサイズであることが好ましい。収容後の状態が安定するからである。
【００２６】
また、さらに好ましくは、前記小収容部（１１）の幅（Ｌ１）と同一径又は僅かに小さい径（Ｌ２）の円形である（図１及び図３）。収容前後で当該熱伝達体（２０）どうしが接触により破損してしまうことを抑制するためである。
【００２７】
前記熱伝達体（２０）の一方面側の形状について、少なくとも前記袋状体（１０）の背面側に配置される側の面は熱伝達効率を向上させるため略平坦であることを要する（図２及び図３）。
【００２８】
前記熱伝達体（２０）の材質について、熱伝達効率がよい焼き物（陶器など）が好ましい。さらに好ましくは、遠赤外線が発生する焼き物である。
【００２９】
前記熱発生体（３０）として、使い捨てタイプのカイロを使用しているが同様の機能を有するものであれば代用できるものとする。
【００３０】
次に、当該健康用具の想定使用状態について、図２に従い説明する。
【００３１】
袋状体（１０）の背面側の収容部（図２で示す下側）に熱発生体（３０）である使い捨てタイプのカイロを収容し、かつ、前記袋状体の正面側の収容部（図２で示す上側）に１２個の陶器製の円形状の熱伝達体（２０）を配列収容した後、前記袋状体（１０）の正面側を任意の患部に当接する（押し当てる）。
【００３２】
前記カイロの熱が、前記１２個の熱伝達体（２０）を介して、任意の患部に伝わる。
【００３３】
なお、前記熱伝達体（２０）が遠赤外線を発生する焼き物である場合には、さらに良い刺激を患部に与えることができる。
【実施例２】
【００３４】
実施例２の健康用具は、熱伝達体の形状が異なる健康用具であり、その構成について、実施例１と異なる部分を中心に図４から図８に従い説明する。
【００３５】
健康用具（１）は、両面側に被収容体を収容可能な袋状体（１０）と、前記袋状体の正面側の収容箇所に収容する熱伝達体（２０）と、前記袋状体の背面側の収容箇所に収容する熱発生体（３０）と、で構成する（図４及び図５）。
【００３６】
前記熱伝達体（２０）の構成について、実施例１と同形状の熱伝達体の他に、一方面側に突出部を有する熱伝達体を混在させている（図４及び図５）。
【００３７】
前記熱伝達体（２０）の形状について、前記袋状体の背面側に配置される側の面は、実施例１と同様に略平坦としているが、前記袋状体の正面側に配置される側の面は、指圧様の効果も併せて与えるために突出部を有している（図６から図８）。
【００３８】
次に、当該健康用具の想定使用状態について、図５に従い説明する。
【００３９】
袋状体（１０）の背面側の収容部（図５で示す下側）に熱発生体（３０）である使い捨てタイプのカイロを収容し、かつ、前記袋状体の正面側の収容部（図５で示す上側）に１２個の陶器製の円形状の熱伝達体（２０）を配列収容した後、前記袋状体（１０）の正面側を任意の患部に当接する（押し当てる）。
【００４０】
前記カイロの熱が、前記１２個の熱伝達体（２０）を介して、任意の患部に伝わる。
【００４１】
また、前記熱伝達体（２０）のうち中央に配置した６個の熱伝達体の突出部からは、前述した熱の刺激に加えて指圧様の刺激も与えることができる。
【実施例３】
【００４２】
実施例３の健康用具は、熱伝達体の縁端近傍箇所に２個の貫通孔を穿設し、隣接する熱伝達体の当該貫通孔どうしを接続して一体化した健康用具であり、その構成について、実施例１と異なる部分を中心に図１、図２、図９及び図１０に従い説明する。
【００４３】
健康用具（１）は、実施例１と同様の所定の袋状体（１０）、所定の熱伝達体（２０）及び所定の熱発生体（３０）と、で構成する（図１、図２及び図９）。
【００４４】
前記熱伝達体（２０）の縁端近傍箇所の対称位置に２個の貫通孔（２１）を穿設している（図９及び図１０）。
【００４５】
隣接する熱伝達体（２０）の当該貫通孔（２１）どうしを紐状体（４０）により接続して一体化することにより、袋状体の内部で前記熱伝達体が単独で揺動又は振動することを抑制できるため、当該熱伝達体相互の接触が減り、破損を減らすことができる。また、一体化した前記熱伝達体は、袋状体の内部に収容することも容易となる。
【００４６】
前記熱伝達体（２０）上の貫通孔（２１）の個数について、熱伝達体の配置という観点を考慮すれば対称位置に複数個（例えば、２個、４個など。）とすることが好ましい。
【００４７】
さらに、前記熱伝達体（２０）自身の接触強度にも考慮すれば、前記貫通孔（２１）は少ない方が好ましい。
【００４８】
また、前記熱伝達体（２０）上の貫通孔（２１）の個数について、隣接する熱伝達体上の貫通孔どうしを接続して一体化することができれば良いという性質に考慮すれば、前記熱伝達体の縁端近傍箇所に１個であっても許容し得る。例えば、図９に示す最上部に配置する熱伝達体であれば下部縁端近傍箇所に１個で良く、最下部に配置する熱伝達体であれば上部縁端近傍箇所に１個であっても一体化できるからである。
【００４９】
袋状体の内部に収容する前記熱伝達体（２０）の構成について、実施例１と同様にすべて同形状の熱伝達体とする（図９）だけでなく、実施例２の様に一方面側に突出部を有する熱伝達体を混在させることも許容し得る。
【産業上の利用可能性】
【００５０】
本願発明の健康用具は、手に持って任意の患部へ当接することにより、適度な熱刺激を与えることができるとともに指圧様の刺激も与えることができる優れた健康用具であるので、産業上の利用性可能性を有する。
【符号の説明】
【００５１】
１          健康用具
１０        袋状体
１１        正面側（使用の際の患部側）に備える小収容部
１２        小孔
２０        熱伝達体
２１        熱伝達体上に穿設した貫通孔
３０        使い捨てタイプのカイロ（熱発生体）
４０        紐状体
Ｌ１        小収容部の幅
Ｌ２        熱伝達体の径（幅）
【図１】
2019034149.tif 000003
【図２】
2019034149.tif 000004
【図３】
2019034149.tif 000005
【図４】
2019034149.tif 000006
【図５】
2019034149.tif 000007
【図６】
2019034149.tif 000008
【図７】
2019034149.tif 000009
【図８】
2019034149.tif 000010
【図９】
2019034149.tif 000011
【図１０】
2019034149.tif 000012